(57)【要約】【課題】はがきや封筒等に予め発送者の情報を印刷する必要性を解消する宛先印刷ラベルを印刷可能なテープ印刷装置、制御方法およびプログラムを提供する。【解決手段】テープ印刷装置１は、宛先を示す第１の文字列の入力を受け付ける第１入力部と、第１入力部が受け付けた第１の文字列に基づいて、宛先を表す第１の画像を生成する第１画像生成部と、発送者の情報を示す第２の文字列の入力を受け付ける第２入力部と、第２入力部が受け付けた第２の文字列に基づいて、発送者の情報を表す第２の画像を生成する第２画像生成部と、第１の画像および第２の画像をテープ状部材に印刷する印刷部と、を備える。【選択図】図８
2011116022.tif 000002
【特許請求の範囲】
【請求項１】
入力された文字列に基づいた画像を、送付物に貼付するためのテープ状部材に印刷するテープ印刷装置であって、
宛先を示す第１の文字列の入力を受け付ける第１入力部と、
前記第１入力部が受け付けた前記第１の文字列に基づいて、前記宛先を表す第１の画像を生成する第１画像生成部と、
発送者の情報を示す第２の文字列の入力を受け付ける第２入力部と、
前記第２入力部が受け付けた前記第２の文字列に基づいて、前記発送者の情報を表す第２の画像を生成する第２画像生成部と、
前記第１の画像および前記第２の画像を前記テープ状部材に印刷する印刷部と、
を備えることを特徴とするテープ印刷装置。
【請求項２】
請求項１に記載のテープ印刷装置であって、
所定の入力操作を受け付ける操作受付部と、
前記所定の入力操作に基づいて、前記印刷部に前記第２の画像を前記テープ状部材に印刷させるか否かを選択する印刷選択部と、
をさらに有することを特徴とするテープ印刷装置。
【請求項３】
請求項１または２に記載のテープ印刷装置であって、
前記発送者の情報を表す前記第２の画像は、２次元コードの画像であることを特徴とするテープ印刷装置。
【請求項４】
請求項３に記載のテープ印刷装置であって、
前記２次元コードの画像は、ＱＲコードの画像であることを特徴とするテープ印刷装置。
【請求項５】
入力された文字列に基づいた画像を、送付物に貼付するためのテープ状部材に印刷するテープ印刷装置の制御方法であって、
宛先を示す第１の文字列の入力を受け付ける第１入力ステップと、
前記第１入力ステップによって受け付けた前記第１の文字列に基づいて、前記宛先を表す第１の画像を生成する第１画像生成ステップと、
発送者の情報を示す第２の文字列の入力を受け付ける第２入力ステップと、
前記第２入力ステップによって受け付けた前記第２の文字列に基づいて、前記発送者の情報を表す第２の画像を生成する第２画像生成ステップと、
前記第１の画像および前記第２の画像を前記テープ状部材に印刷する印刷ステップと、
を備えることを特徴とするテープ印刷装置の制御方法。
【請求項６】
コンピューターに、請求項５に記載のテープ印刷装置の制御方法における各ステップを実行させるためのプログラム。
【発明の詳細な説明】
【技術分野】
【０００１】
本発明は、テープ印刷装置、テープ印刷装置の制御方法、およびプログラムに関する。
【背景技術】
【０００２】
近年、郵便番号や住所、名前等の宛先情報を印刷できるテープ印刷装置が知られている。例えば、カスタマーバーコードを生成してそれを含む宛先印刷を行う宛先印刷装置が開示されている（例えば、特許文献１）。一方、文字列情報等を記憶可能な２次元コードをテープ状部材に印刷するテープ印刷装置が開示されている（例えば、特許文献２）。
また、はがきや封筒等の送付物に、発送者の住所等の情報を予め印刷することがあった。さらに、発送者が企業である場合は、はがきや封筒等の送付物に、その企業情報や広告情報が掲載されたウェブページのＵＲＬ情報を印刷されていることが多い。
【先行技術文献】
【特許文献】
【０００３】
【特許文献１】特開２０００−２３７６９２号公報
【特許文献２】特開２００９−１８４３０号公報
【発明の概要】
【発明が解決しようとする課題】
【０００４】
しかしながら、このようなテープ印刷装置においては、送付先の住所や名前等の宛名情報の印刷と、発送者の住所や名前等の宛名情報と企業情報等のＵＲＬ情報の印刷は、別々に印刷をする必要があり操作が煩雑となってしまっていた。
さらに、はがきや封筒等の送付物に、発送者の住所等の情報を印刷してしまうと、発送者の住所等が変更になった場合には、その情報が古い情報となってしまい、そのはがきや封筒を使用できなくなるという問題があった。また、企業情報や広告情報等の様々なウェブページのＵＲＬは変更されることが多いため、はがきや封筒に印刷してしまうと、すぐに古い情報となってしまうこともあった。
【課題を解決するための手段】
【０００５】
本発明は、上述の課題の少なくとも一部を解決するためになされたものであり、以下の形態または適用例として実現することが可能である。
【０００６】
［適用例１］本適用例に係るテープ印刷装置は、入力された文字列に基づいた画像を、送付物に貼付するためのテープ状部材に印刷するテープ印刷装置であって、宛先を示す第１の文字列の入力を受け付ける第１入力部と、前記第１入力部が受け付けた前記第１の文字列に基づいて、前記宛先を表す第１の画像を生成する第１画像生成部と、発送者の情報を示す第２の文字列の入力を受け付ける第２入力部と、前記第２入力部が受け付けた前記第２の文字列に基づいて、前記発送者の情報を表す第２の画像を生成する第２画像生成部と、前記第１の画像および前記第２の画像を前記テープ状部材に印刷する印刷部と、を備えることを特徴とする。
【０００７】
このようなテープ印刷装置によれば、第１入力部は、宛先を示す第１の文字列の入力を受け付ける。第１画像生成部は、第１の文字列に基づいて、宛先を表す第１の画像を生成する。第２入力部は、発送者の情報を示す第２の文字列の入力を受け付ける。第２画像生成部は、第２の文字列に基づいて、発送者の情報を表す第２の画像を生成する。印刷部は、第１の画像および第２の画像をテープ状部材に印刷する。つまり、テープ印刷装置は、宛先および発送者の情報を示す文字列を受け付けて、宛先に基づく画像および発送者の情報に基づく画像を生成し、これらの画像をテープ状部材に印刷する。これにより、はがきや封筒等の送付物に貼付するテープ状部材に、宛先の画像だけでなく発送者の情報の画像を印刷することができる。よって、はがきや封筒等の送付物に予め発送者の情報を印刷する必要性が解消されるため、有益である。また、発送者は、簡易な方法で発送者の情報を常に新しい情報として入力できる。
【０００８】
［適用例２］上記適用例に係るテープ印刷装置において、所定の入力操作を受け付ける操作受付部と、前記所定の入力操作に基づいて、前記印刷部に前記第２の画像を前記テープ状部材に印刷させるか否かを選択する印刷選択部と、をさらに有することを特徴とする。
【０００９】
このようなテープ印刷装置によれば、印刷選択部は、所定の入力操作に基づいて、印刷部に第２の画像をテープ状部材に印刷させるか否かを選択する。これにより、ユーザーは、発送者の情報をテープ状部材に印刷させるか否かを選択することが可能になり、簡易な方法で発送者の情報を印刷することができ、利便性が向上する。
【００１０】
［適用例３］上記適用例に係るテープ印刷装置において、前記発送者の情報を表す前記第２の画像は、２次元コードの画像であることを特徴とする。
【００１１】
このようなテープ印刷装置によれば、第２の画像は、２次元コードの画像である。これにより、発送者の情報が、２次元コードによって表されるため、少ない印刷面積で多くの情報を伝達することが可能になる。
【００１２】
［適用例４］上記適用例に係るテープ印刷装置において、前記２次元コードの画像は、ＱＲコード（登録商標）の画像であることを特徴とする。
【００１３】
このようなテープ印刷装置によれば、第２の画像は、ＱＲコードの画像である。これにより、発送者の情報が、ＱＲコードによって表されるため、少ない印刷面積で多くの情報を伝達することが可能になる。また、ＱＲコードは、数字、英数字、漢字、バイナリーのデータを扱うことが可能で、多くの文字数を表現することができるため、様々な情報を発送者の情報として伝達することが可能となり、有益である。
【００１４】
［適用例５］本適用例に係るテープ印刷装置の制御方法は、入力された文字列に基づいた画像を、送付物に貼付するためのテープ状部材に印刷するテープ印刷装置の制御方法であって、宛先を示す第１の文字列の入力を受け付ける第１入力ステップと、前記第１入力ステップによって受け付けた前記第１の文字列に基づいて、前記宛先を表す第１の画像を生成する第１画像生成ステップと、発送者の情報を示す第２の文字列の入力を受け付ける第２入力ステップと、前記第２入力ステップによって受け付けた前記第２の文字列に基づいて、前記発送者の情報を表す第２の画像を生成する第２画像生成ステップと、前記第１の画像および前記第２の画像を前記テープ状部材に印刷する印刷ステップと、を備えることを特徴とする。
【００１５】
このようなテープ印刷装置の制御方法によれば、テープ印刷装置は、宛先および発送者の情報を示す文字列を受け付けて、宛先に基づく画像および発送者の情報に基づく画像を生成し、これらの画像をテープ状部材に印刷する。これにより、はがきや封筒等の送付物に貼付するテープ状部材に、宛先の画像だけでなく発送者の情報の画像を簡易な操作で印刷することができる。
【００１６】
［適用例６］本適用例に係るプログラムは、コンピューターに、上記適用例に記載のテープ印刷装置の制御方法における各ステップを実行させるためのものであることを特徴とする。
【００１７】
このようなプログラムをコンピューターに実行させることにより、テープ印刷装置は、宛先および発送者の情報を示す文字列を受け付けて、宛先に基づく画像および発送者の情報に基づく画像を生成し、これらの画像をテープ状部材に印刷する。これにより、はがきや封筒等の送付物に貼付するテープ状部材に、宛先の画像だけでなく発送者の情報の画像を簡易な操作で印刷することができる。
【００１８】
また、上記形態及び上記適用例は、上記プログラムをコンピューターで読み取り可能に記録した記録媒体等の態様で構成することも可能である。記録媒体としては、フレキシブルディスクやハードディスク、ＣＤやＤＶＤ等の光ディスク、光磁気ディスク、不揮発性の半導体メモリーを搭載したメモリーカードやＵＳＢメモリー、画像生成装置の内部記憶装置（ＲＡＭやＲＯＭ等の半導体メモリー）等、前記コンピューターが読み取り可能な種々の媒体を利用することができる。
【図面の簡単な説明】
【００１９】
【図１】実施形態のテープ印刷装置を示す斜視図。
【図２】実施形態のテープ印刷装置を示す斜視図。
【図３】テープ印刷装置の回路構成を示すブロック図。
【図４】テープ印刷装置の送付情報入力状態における表示部の画面を表す説明図であり、（ａ）は、宛先を入力させる画面を表す説明図、（ｂ）は、ＱＲコードの用途を選択させる画面を表す説明図、（ｃ）は、ＱＲコードの文字列を入力させる画面を表す説明図、（ｄ）は、コメントの文字列を入力させる画面を表す説明図。
【図５】テープ印刷装置の宛先印刷状態における宛先印刷実行確認画面を表す説明図。
【図６】宛先印刷処理を説明するためのフローチャート。
【図７】ＱＲコードの印刷選択画面の説明図。
【図８】宛先印刷がなされたラベルを示す平面図であり、（ａ）はＱＲコードが印刷された宛先印刷ラベルの平面図、（ｂ）は、ＱＲコードが印刷されていない宛先印刷ラベルの平面図。
【発明を実施するための形態】
【００２０】
以下、入力された文字列に基づいた画像を、送付物に貼付するためのテープ状部材（以降、「テープ」と呼ぶ）に印刷するテープ印刷装置について図面を参照して説明する。
【００２１】
図１および図２は、本実施形態のテープ印刷装置を示す斜視図である。
図１および図２に示すように、テープ印刷装置１は、本体が筐体１０に収容された構成を有しており、筐体１０の上面手前側には、キーボード１１が備えられている。キーボード１１は、文字列の入力等、ユーザーによる各種入力操作を受け付ける入力部であり、仮名、漢字、アルファベット、数字、および記号等からなる文字列を入力可能な多数の文字キーと、テープ印刷装置１に対して各種動作を指示するための複数の制御キーとを有している。キーボード１１が備える制御キーには、電源のオンとオフとを切り替えるための電源キー、入力した仮名を漢字に変換するための変換キー、入力した文字列等を確定させるための決定キー、カーソルの移動等に用いられるカーソルキー、印刷を実行させるための印刷キー、宛先入力を行うための宛先入力キー、宛先印刷を実行させるための宛先印刷キー等が含まれる。
【００２２】
筐体１０の上面奥側には、液晶表示装置等からなる表示部１２が備えられている。表示部１２は、マトリクス状に配列された多数の画素で画像を形成するものであり、キーボード１１から入力された文字の表示や、メニュー画面やメッセージ画面の表示等に用いられる。
【００２３】
筐体１０の上面奥側には、表示部１２に隣接して、テープカートリッジ２を装着するための凹部１３が形成されている。凹部１３の開口部上には、開閉蓋１４が開閉可能に備えられており、開閉蓋１４を開放状態にすることによって、テープカートリッジ２を着脱することが可能となる。また、開閉蓋１４には、透光性を有する確認窓１４ａが備えられており、凹部１３にテープカートリッジ２が装着されているか否かを外部から視認可能になっている。凹部１３の底面には、サーマルヘッド１５や、搬送機構１６（図３参照）を構成する回転軸１６ａ，１６ｂが設けられており、凹部１３にテープカートリッジ２を装着すると、テープカートリッジ２に設けられた孔状のヘッド嵌合部２１にサーマルヘッド１５が嵌合するとともに、孔状の被駆動部２２ａ，２２ｂに回転軸１６ａ，１６ｂがそれぞれ係合する。
【００２４】
テープカートリッジ２には、カートリッジケース２０の内部に、ともに帯状のテープＴとインクリボンＲとが内蔵されている。テープＴは、テープ印刷装置１の印刷媒体であり、ＰＥＴ（ポリエチレンテレフタレート）或いは紙材等からなる基材の裏面に接着剤層が形成され、それが剥離紙によって覆われた構成になっている。テープ印刷装置１は、テープＴの幅や素材（基材の材質）、色等が異なる複数種類のテープカートリッジ２に対応可能であり、ユーザーは、用途や好みに応じたテープカートリッジ２を使用することができる。なお、テープカートリッジ２の裏面には、内蔵するテープＴを識別するための複数の孔（図示せず）が設けられており、テープ印刷装置１は、凹部１３の底面に備えられたマイクロスイッチ等の識別センサー１９（図３参照）によって、装着されたテープカートリッジ２のテープ種別を識別することができる。
【００２５】
テープカートリッジ２を凹部１３に装着すると、テープＴの表面は、ヘッド嵌合部２１において、インクリボンＲを介してサーマルヘッド１５と対向する。サーマルヘッド１５には、テープＴの長手方向（搬送方向）と直交する方向に１列に配列された多数の発熱素子（図示せず）が形成されており、各発熱素子を選択的に発熱させることにより、インクリボンＲのインクがテープＴの表面に転写（熱転写）される。つまり、テープＴの表面には、発熱した発熱素子に対応する位置にドットが形成される。ここで、回転軸１６ａ，１６ｂを回転駆動すると、テープＴとインクリボンＲは搬送されて、テープＴはカートリッジケース２０の外部に排出され、インクリボンＲはカートリッジケース２０の内部で巻き取られる。そして、テープＴとインクリボンＲとを少しずつ搬送しながら上記の熱転写を繰り返すことにより、複数のドットで構成される画像がテープＴの表面に印刷される。
【００２６】
筐体１０の側面には、筐体１０の外部と凹部１３とを連通するスリット１７が設けられており、カートリッジケース２０から排出された印刷済みのテープＴは、スリット１７を通って筐体１０の外部に向けて所定量だけ搬送される。筐体１０の内部には、スリット１７を横断するテープＴを切断するためのカッターユニット１８が配設されており、テープＴの印刷済みの部位は、このカッターユニット１８によって切り離され、テープ片（ラベル）としてスリット１７の開口部（テープ排出口）から排出される。
【００２７】
図３は、テープ印刷装置１の回路構成を示すブロック図である。
図３に示すように、テープ印刷装置１は、上述したキーボード１１、表示部１２、サーマルヘッド１５、回転軸１６ａ，１６ｂ（図２参照）を含む搬送機構１６、カッターユニット１８、識別センサー１９の他に、テープ印刷装置１の動作を統括制御する制御部３０、表示部１２に画像を表示させる表示駆動部４１、サーマルヘッド１５を発熱駆動するヘッド駆動部４２、搬送機構１６を駆動する搬送駆動部４３、カッターユニット１８を駆動するカッター駆動部４４等を備えている。
【００２８】
制御部３０は、コンピューターとして機能するものであり、互いにバス３０ａを介して接続されたＣＰＵ（Central Processing Unit）３１、ＲＡＭ（Random Access Memory）３２、ＲＯＭ（Read Only Memory）３３、ＣＧＲＯＭ（キャラクタージェネレーターＲＯＭ）３４、入力インターフェイス（Ｉ／Ｆ）３５、出力インターフェイス（Ｉ／Ｆ）３６等を有している。
【００２９】
ＣＰＵ３１は、ＲＯＭ３３に記憶されている制御プログラムに従って動作し、テープ印刷装置１全体の各種動作を制御する。
【００３０】
ＲＡＭ３２は、揮発性の記憶装置で構成された記憶部であり、ＣＰＵ３１の各種処理結果や、キーボード１１から入力された文字コード列、表示部１２に表示させる表示画像データ、サーマルヘッド１５に印刷させる印刷画像データ等を一時的に記憶する。また、文字コード列によって構成される文書データや宛先データ等も記憶する。なお、これらの文書データや宛先データ等は、不揮発性の記憶装置であるフラッシュメモリー等に記憶してもよい。
【００３１】
ＲＯＭ３３およびＣＧＲＯＭ３４は、マスクＲＯＭやフラッシュメモリー等の不揮発性の記憶装置で構成された記憶部であり、ＲＯＭ３３には、上述した制御プログラムや各種データ等が記憶されている。また、ＲＯＭ３３には、株式会社デンソーウェーブにより供給され、ＱＲコードの画像データを生成するためのＱＲコード生成プログラム３３ａが記憶されており、ＱＲコードを含む宛先印刷の際に実行される。
【００３２】
ＣＧＲＯＭ３４には、テープ印刷装置１で印刷可能な文字のフォントデータが記憶されている。フォントデータは、サーマルヘッド１５に印刷させる文字や、表示部１２に表示させる文字を生成するためのビットマップ形式のデータである。ビットマップ形式のフォントデータは多数のドットで構成されており、各ドットはサーマルヘッド１５の発熱素子や表示部１２の画素に対応する。ＣＧＲＯＭ３４には、複数のフォントのフォントデータが記憶されており、ＣＰＵ３１は、フォントの種別、文字サイズおよび文字コードを指定することによって、対応するフォントデータをＣＧＲＯＭ３４から取得し、このフォントデータを用いて表示画像データおよび印刷画像データを形成する。なお、フォントデータとしては、種々の文字サイズに対応させやすいアウトライン形式のフォントデータを用いるようにしてもよい。
【００３３】
入力インターフェイス３５には、キーボード１１および識別センサー１９が接続されている。ユーザーによりキーボード１１が操作されると、キーボード１１は、この操作を受け付けて、操作されたキーに対応するキー情報を、入力インターフェイス３５を介してＣＰＵ３１に出力する。ここで、キーボード１１、入力インターフェイス３５、およびＣＰＵ３１が操作受付部に相当する。また、識別センサー１９は、装着されたテープカートリッジ２のテープ種別に応じた識別情報を、入力インターフェイス３５を介してＣＰＵ３１に出力する。
【００３４】
出力インターフェイス３６には、表示駆動部４１、ヘッド駆動部４２、搬送駆動部４３、およびカッター駆動部４４が接続されており、これらは、ＣＰＵ３１の制御に基づいて、表示部１２、サーマルヘッド１５、搬送機構１６、およびカッターユニット１８をそれぞれ駆動する。
【００３５】
上記のように構成されたテープ印刷装置１において、ユーザーにより電源キーが操作されると、テープ印刷装置１は、動作を開始し、文字キーによる文字の入力や、制御キーによる各種指示が可能な状態となる。
【００３６】
ここで、ユーザーにより文字キーが操作されて文字が入力されると、キーボード１１は、この入力を受け付けて制御部３０にキー情報を出力する。制御部３０は、キーボード１１から入力されるキー情報に基づいて、入力された文字の文字コードを特定し、この文字コードをＲＡＭ３２に記憶する。そして、この文字コードに対応するフォントデータをＣＧＲＯＭ３４から取得し、このフォントデータを用いて表示画像データを形成する。制御部３０がこの表示画像データを表示駆動部４１に供給すると、入力された文字が表示部１２に表示される。そして、ユーザーが文字の入力を複数回繰り返せば、ＲＡＭ３２には、複数の文字コードを含んだ文字コード列（テキストデータ）が記憶され、表示部１２には、複数の文字からなる文字列が表示される。
【００３７】
文字（文字列）が入力された後、ユーザーにより印刷キーが操作されると、テープ印刷装置１は、印刷処理を実行する。
【００３８】
ここで、本実施形態のテープ印刷装置１は、宛先の文字列（宛先の情報）を入力する「宛先入力」、および宛先の文字列に基づいた画像をテープＴに印刷する「宛先印刷」を行うことが可能になっている。さらに、テープ印刷装置１は、宛先の情報に加えて、発送者の情報を入力可能とし、その発送者の情報をＱＲコードの画像としてテープＴに印刷することが可能になっている。
【００３９】
まず、宛先情報の入力および発送者情報の入力について説明する。本実施形態では、キーボード１１に備わる「宛先入力キー」が押下されると、宛先情報の入力および発送者情報の入力を受け付ける送付情報入力状態に移行する。
図４は、テープ印刷装置１の送付情報入力状態における表示部１２の画面を表す説明図である。ここで、図４（ａ）は、宛先を入力させる画面を表す説明図、図４（ｂ）は、ＱＲコードの用途を選択させる画面を表す説明図、図４（ｃ）は、ＱＲコードの文字列を入力させる画面を表す説明図、図４（ｄ）は、コメントの文字列を入力させる画面を表す説明図である。
【００４０】
図４（ａ）は、ユーザーに宛先を入力させる宛先入力画面Ｇ１である。宛先入力画面Ｇ１の最上部には、宛先入力画面であることを表す「宛先入力」の文字列が表示されている。その下には、順番に、「郵便番号」、「住所」、「会社」、「氏名」の文字列が表示されており、「郵便番号」、「住所」、「会社」、「氏名」の右側には、ユーザーが文字列を入力する文字列入力欄がそれぞれ設けられている。ユーザーが、キーボード１１を用いて文字列入力欄に宛先となる任意の文字列を入力すると、制御部３０は入力された文字列をＲＡＭ３２に宛先データとして記憶する。このときのキーボード１１および制御部３０が第１入力部に相当し、宛先となる任意の文字列が第１の文字列に相当する。
【００４１】
図４（ｂ）は、ユーザーにＱＲコードの用途を選択させるＱＲコード用途選択画面Ｇ２である。本実施形態では、ＱＲコード用途選択画面Ｇ２は、宛先入力画面Ｇ１の入力が完了すると表示され、発送者の情報を入力するために表示されるものとする。ＱＲコード用途選択画面Ｇ２の最上部には、ＱＲコード用途選択画面であることを表す「ＱＲコード用途選択」の文字列が表示されている。その下には、順番に、「一般」および「ＵＲＬ」の文字列が表示されている。ユーザーは、キーボード１１に備わるカーソルキーを押下し、さらに決定キーを押下することで、「一般」または「ＵＲＬ」のいずれか一方を選択することができる。ここで、任意の文字列のＱＲコードを生成する場合には「一般」を選択し、ウェブページのＵＲＬの文字列のＱＲコードを生成する場合には「ＵＲＬ」を選択する。なお、選択中の項目は、白黒反転した文字で表示される。
【００４２】
図４（ｃ）は、ユーザーにＱＲコードを入力させるＱＲコード入力画面Ｇ３である。このＱＲコード入力画面Ｇ３は、ＱＲコードの用途として「ＵＲＬ」が選択された際に表示される画面である。ＱＲコード入力画面Ｇ３の最上部には、ＱＲコード入力画面であることを表す「ＱＲコード入力」の文字列が表示されている。その下には、「ＵＲＬ」の文字列が表示されており、その右側には、ユーザーが文字列を入力する文字列入力欄が設けられている。ユーザーが、キーボード１１を用いて文字列入力欄にウェブページのＵＲＬである任意の文字列を入力すると、制御部３０は入力された文字列をＲＡＭ３２にＱＲコードデータとして記憶する。このときのキーボード１１および制御部３０が第２入力部に相当し、ウェブページのＵＲＬである任意の文字列が第２の文字列に相当する。
【００４３】
図４（ｄ）は、ＱＲコードの付加情報であるコメントを入力させるコメント入力画面Ｇ４である。コメントとは、ＱＲコードに付随して印刷される文字列である。本実施形態では、コメント入力画面Ｇ４は、ＱＲコード入力画面Ｇ３の入力が完了すると表示されるものとする。コメント入力画面Ｇ４の最上部には、コメント入力画面であることを表す「コメント入力」の文字列が表示されている。その下には、「コメント」の文字列が表示されており、その右側には、ユーザーが文字列を入力する文字列入力欄が設けられている。ユーザーが、文字列入力欄にコメントとなる任意の文字列を入力すると、入力された文字列はＲＡＭ３２にコメントデータとして記憶される。
【００４４】
上述したように、テープ印刷装置１は、送付情報入力状態の宛先入力画面Ｇ１、ＱＲコード用途選択画面Ｇ２、ＱＲコード入力画面Ｇ３、およびコメント入力画面Ｇ４において、文字列の入力が行われると、宛先、ＱＲコード、およびコメントの文字列をＲＡＭ３２に記憶させることができる。本実施形態では、複数の宛先データ、ＱＲコードデータ、およびコメントデータの記憶を可能とする。宛先データ、ＱＲコードデータ、およびコメントデータの文字列が記憶された状態において、宛先印刷が実行されると、テープ印刷装置１は、宛先の文字列、ＱＲコード、およびコメントの文字列をテープＴに印刷することができる。
【００４５】
次に、宛先印刷について説明する。本実施形態では、ユーザーによって所望の宛先データが選択されている状態で、キーボード１１に備わる「宛先印刷キー」が押下されると、テープ印刷装置１は、宛先印刷実行確認画面を表示して宛先印刷状態に移行する。
【００４６】
図５は、テープ印刷装置１の宛先印刷状態における宛先印刷実行確認画面Ｇ５を表す説明図である。宛先印刷実行確認画面Ｇ５の最上部には、宛先印刷実行確認画面であることを表す「宛先印刷」の文字列が表示されている。その下には、「印刷実行？」の文字列が白黒反転表示されている。ユーザーは、キーボード１１に備わる「決定キー」を押下することで、宛先印刷を実行することができる。
【００４７】
宛先印刷実行確認画面Ｇ５において、ユーザーによって宛先印刷が実行されると、テープ印刷装置１は、図６に示す処理（フローチャート）を実行する。
図６は、宛先印刷処理を説明するためのフローチャートである。図６を用いて、宛先印刷処理を説明する。
【００４８】
ユーザーによって印刷が実行されると、制御部３０は、表示駆動部４１にＱＲコードの印刷選択画面を表示させる（ステップＳ１０１）。そして、制御部３０は、キーボード１１に備わる決定キーが押下されたか否かを判断する（ステップＳ１０２）。ここで、ＱＲコードの印刷選択画面とは、ＱＲコードを印刷するか否かをユーザーに選択させ、決定させるための画面である。
【００４９】
図７は、ＱＲコードの印刷選択画面Ｇ６の説明図である。図７に示すように、印刷選択画面Ｇ６の最上部には、「宛先印刷」の文字列が表示されている。その下には、順番に、「ＱＲコード印刷する」および「ＱＲコード印刷しない」の文字列が表示されている。ユーザーは、キーボード１１に備わるカーソルキーを押下し、さらに決定キーを押下することで、「ＱＲコード印刷する」または「ＱＲコード印刷しない」のいずれか一方を選択し、決定することができる。なお、選択中の項目は、白黒反転した文字で表示される。
【００５０】
図６に戻り、決定キーが押下されていなければ（ステップＳ１０２：ＮＯ）、制御部３０は、カーソルキーが押下されたか否かを判断する（ステップＳ１０３）。カーソルキーが押下されていれば（ステップＳ１０３：ＹＥＳ）、制御部３０は、ＱＲコードの印刷選択画面Ｇ６の選択項目を切り替える（ステップＳ１０４）。そして、ステップＳ１０２に移行する。カーソルキーが押下されていなければ（ステップＳ１０３：ＮＯ）、ステップＳ１０２に移行する。
【００５１】
決定キーが押下されていれば（ステップＳ１０２：ＹＥＳ）、制御部３０は、「ＱＲコード印刷する」が選択されたか否かを判断する（ステップＳ１０５）。「ＱＲコード印刷する」が選択されていれば（ステップＳ１０５：ＹＥＳ）、制御部３０は、ＲＯＭ３３に記憶されているＱＲコード生成プログラム３３ａを実行し、ＱＲコード入力画面Ｇ３で入力され、ＲＡＭ３２に記憶されているＱＲコードデータに基づいたＱＲコードの画像データを生成して、ＲＡＭ３２に記憶する（ステップＳ１０６）。このときの制御部３０が第２画像生成部に相当する。また、決定キーの押下が所定の入力操作に相当する。
【００５２】
制御部３０は、コメント入力画面Ｇ４で入力され、ＲＡＭ３２に記憶されているコメントデータに基づいたコメントの文字列の画像データを生成する（ステップＳ１０７）。具体的には、制御部３０は、コメントデータに対応するフォントデータをＣＧＲＯＭ３４から取得して、コメントの文字列の画像データを形成し、ＲＡＭ３２に記憶する。
【００５３】
制御部３０は、宛先入力画面Ｇ１で入力され、ＲＡＭ３２に記憶されている宛先データに基づいた宛先の文字列の画像データを生成する（ステップＳ１０８）。具体的には、制御部３０は、宛先データに対応するフォントデータをＣＧＲＯＭ３４から取得して、宛先の文字列の画像データを形成し、ＲＡＭ３２に記憶する。このときの制御部３０が第１画像生成部に相当し、宛先の文字列の画像データが第１の画像に相当する。
【００５４】
制御部３０は、ＲＡＭ３２にそれぞれ記憶された宛先の文字列の画像データ、コメントの文字列の画像データ、およびＱＲコードの画像データを、所定の配置に従って組み合わせて、宛先印刷用の印刷画像データを生成する（Ｓ１０９）。なお、本実施形態では、宛先印刷用の所定の配置は、装着されているテープカートリッジ２のテープ幅によって予め決定されているものとする。
【００５５】
制御部３０は、生成された宛先印刷用の印刷画像データをテープＴに印刷する（ステップＳ１１０）。具体的には、制御部３０は、印刷画像データに基づいて、ヘッド駆動部４２および搬送駆動部４３にそれぞれサーマルヘッド１５および搬送機構１６を駆動させ、印刷画像データに応じた画像をテープＴに印刷させる。その後、制御部３０が、カッター駆動部４４にカッターユニット１８を駆動させると、テープＴは切断され、宛先の文字列、コメントの文字列、およびＱＲコードが印刷されたラベルが完成する。そして、テープ印刷装置１の宛先印刷処理を終了する。このときの制御部３０、ヘッド駆動部４２、搬送駆動部４３、サーマルヘッド１５、および搬送機構１６が印刷部に相当する。
【００５６】
「ＱＲコード印刷する」が選択されていなければ（ステップＳ１０５：ＮＯ）、制御部３０は、宛先入力画面Ｇ１で入力され、ＲＡＭ３２に記憶されている宛先データに基づいた宛先の文字列の画像データを生成する（ステップＳ１１１）。具体的には、制御部３０は、宛先データに対応するフォントデータをＣＧＲＯＭ３４から取得して、宛先の文字列の画像データを形成し、ＲＡＭ３２に記憶する。
【００５７】
制御部３０は、ＲＡＭ３２に記憶された宛先の文字列の画像データを、所定の配置に従って配置し、宛先印刷用の印刷画像データを生成する（ステップＳ１１２）。そして、ステップＳ１１０に移行して、印刷画像データに応じた画像をテープＴに印刷する。そして、テープ印刷装置１の宛先印刷処理を終了する。
【００５８】
なお、「ＱＲコード印刷する」が選択されたか否か（ステップＳ１０５）に応じて、ＱＲコードの画像データを印刷する処理（ステップＳ１０６以降の処理）、またはＱＲコードの画像データを印刷しない処理（ステップＳ１１１以降の処理）に切り替えるための制御を行う制御部３０が、印刷選択部に相当する。
【００５９】
上述したように、テープ印刷装置１は、宛先印刷として、宛先の文字列、発送者の情報としてのコメントの文字列、およびＱＲコードをテープＴに印刷することが可能である。また、発送者の情報（コメントの文字列およびＱＲコード）を印刷しないことも可能である。
【００６０】
次に、宛先印刷がなされたテープＴ（ラベル）について説明する。
図８は、宛先印刷がなされたラベルを示す平面図である。ここで、図８（ａ）はＱＲコードが印刷された宛先印刷ラベルの平面図であり、図８（ｂ）は、ＱＲコードが印刷されていない宛先印刷ラベルの平面図である。
【００６１】
図８（ａ）に示すように、ＱＲコードが印刷された宛先印刷ラベルＬ１は、図示左側の上部から順に、宛先入力画面Ｇ１で入力された郵便番号、住所、会社、および氏名が印刷されている。そして、図示右側には、コメント入力画面Ｇ４で入力されたコメントと、ＱＲコード入力画面Ｇ３で入力されたＵＲＬに基づくＱＲコードが印刷されている。この印刷されたコメントとＱＲコードが第２の画像に相当する。
【００６２】
図８（ｂ）には、ＱＲコードが印刷されていない宛先印刷ラベルＬ２が示されている。宛先印刷ラベルＬ２は、宛先印刷ラベルＬ１と同様に郵便番号、住所、会社、および氏名が印刷されているが、第２の画像であるコメントおよびＱＲコードは印刷されていない。
【００６３】
上述した実施形態によれば、以下の効果が得られる。
（１）テープ印刷装置１は、宛先の文字列の入力と、発送者の情報としてのＱＲコードの文字列の入力とを受け付ける。そして、宛先の画像データとＱＲコードの画像データとをそれぞれ生成し、これらの画像データを所定の配置に従って組み合わせた印刷画像データをテープＴに印刷する。これにより、はがきや封筒等の送付物に貼付するテープＴに、宛先の情報だけでなく発送者の情報であるＱＲコードを印刷することができる。よって、はがきや封筒等の送付物に発送者の情報を印刷しておく必要性が解消されるため、有益である。また、ＱＲコード（発送者の情報）は、都度変更することが可能であるため、発送者の情報を常に新しい情報にすることが可能になる。
【００６４】
（２）テープ印刷装置１は、ＱＲコードの印刷選択画面Ｇ６を表示部１２に表示させて、ＱＲコードをテープＴに印刷させるか否かをユーザーに選択させることができる。これにより、ユーザーは、必要に応じてＱＲコード（発送者の情報）をテープＴに印刷させるか否かを選択することができ、簡易な方法で発送者の情報の添付が可能となる。
【００６５】
（３）テープ印刷装置１は、発送者の情報がＱＲコードとして印刷される。これにより、少ない印刷面積で多くの情報を伝達することが可能になる。また、ＱＲコードは、数字、英数字、漢字、バイナリーのデータを扱うことが可能で、多くの文字数を表現することができるため、様々な情報を発送者の情報として伝達することが可能となり、有益である。
【００６６】
（４）テープ印刷装置１は、ＱＲコードの付加情報としてコメントの文字列を入力し、印刷することができる。これにより、送付物を受け取った受信者は、コメントを読み取ることによって、ＱＲコードの概要等を把握することができるため、利便性が向上する。
【００６７】
なお、上述した実施形態に限定されず、種々の変更や改良等を加えて実施することが可能である。変形例を以下に述べる。
【００６８】
（変形例１）上記実施形態では、テープ印刷装置１は、発送者の情報をＱＲコードとして印刷するものとしたが、これに限定するものではない。例えば、発送者の情報はＱＲコード以外の２次元コードとしてもよい。また、発送者の情報は文字列等としてもよい。
【００６９】
（変形例２）上記実施形態では、テープ印刷装置１は、ＱＲコードはウェブページのＵＲＬの文字列を表すものとしたが、任意の文字列のＱＲコードを生成してもよい。こうすれば、様々な情報を送付物を受け取る受信者に通知することができる。
【００７０】
（変形例３）上記実施形態では、宛先印刷状態において、ＱＲコードの印刷選択画面Ｇ６を表示して、ＱＲコードを印刷するか否かをユーザーに選択させるものとしたが、送付情報入力状態において、宛先を入力させた後（または、宛先を入力させる前でもよい）で、ＱＲコードを印刷するか否かをユーザーに選択させてもよい。
【００７１】
（変形例４）上記実施形態では、テープ印刷装置１は、ＱＲコード用途選択画面Ｇ２、ＱＲコード入力画面Ｇ３、およびコメント入力画面Ｇ４を、宛先入力画面Ｇ１に続いて表示して、ユーザーに発送者の情報を入力させるものとした。しかし、テープ印刷装置１は、ＱＲコード用途選択画面Ｇ２、ＱＲコード入力画面Ｇ３、およびコメント入力画面Ｇ４を、宛先入力画面Ｇ１とは関連しない独立した画面として表示して、ユーザーに発送者の情報を入力させるものとしてもよい。こうすれば、宛先入力毎に発送者の情報（ＱＲコード）を入力する必要がなくなる。また、宛先の情報と発送者の情報とを自在に組み合わせることが可能になるため、利便性が向上する。
【００７２】
（変形例５）上記実施形態では、ユーザーが、宛先入力キーを押下して宛先の情報および発送者の情報を入力しておき、さらに宛先印刷キーを押下することで宛先印刷が実行されるものとした。しかし、ユーザーがキーボード１１に備わる所定のキーを押下することで、宛先の情報の入力、発送者の情報の入力、および宛先印刷の実行を連続したステップとして実行できるものとしてもよい。
【００７３】
（変形例６）上記実施形態では、テープ印刷装置１が印刷した宛先印刷ラベルＬ１には、ＱＲコードは図８（ａ）の図面視右側に印刷されているが、これに限定するものではない。例えば、図面視下側や図面視上側、図面視左側等としてもよい。
【００７４】
（変形例７）上記実施形態では、テープＴに文字等を印刷するための印刷方式として、サーマルヘッド１５による熱転写方式を用いているが、この方式に限られず、インク滴を吐出するインクジェット方式等、他の印刷方式を用いてもよい。
【符号の説明】
【００７５】
１…テープ印刷装置、２…テープカートリッジ、１０…筐体、１１…キーボード、１２…表示部、３０…制御部、３１…ＣＰＵ、３２…ＲＡＭ、３３…ＲＯＭ、３３ａ…ＱＲコード生成プログラム、３４…ＣＧＲＯＭ、Ｇ１…宛先入力画面、Ｇ２…ＱＲコード用途選択画面、Ｇ３…ＱＲコード入力画面、Ｇ４…コメント入力画面、Ｇ５…宛先印刷実行確認画面、Ｇ６…ＱＲコードの印刷選択画面、Ｔ…テープ。
【図１】
2011116022.tif 000003
【図２】
2011116022.tif 000004
【図３】
2011116022.tif 000005
【図４】
2011116022.tif 000006
【図５】
2011116022.tif 000007
【図６】
2011116022.tif 000008
【図７】
2011116022.tif 000009
【図８】
2011116022.tif 000010